(57)【要約】【課題】  従来におけるインスツルメントホルダーにあっては、インスツルメントホルダーは予め何本のインスツルメントを保持可能に構成するかが定められているため、施術者が５本以下あるいは５本以上のインスツルメントを使用するような場合には、インスツルメントの数に応じたホルダーを製作しなければならないといった問題があった。【解決手段】  歯科医やアシスタントが使用するテーブル１に形成された孔１１に挿入され水平方向に回転可能に取付けられた回転軸３１１および該回転軸に取付けられたホルダーアーム３１２に対して回転可能に取付けられたインスツルメント受け３１３とからなるインスツルメント２の後端部を包囲するように支持するホルダー本体３１と、該ホルダー本体に着脱自在に取付けられインスツルメントの中間部を前記ホルダー本体と共に支持するアタッチメント３２とより構成した歯科用インスツルメントホルダーである。【選択図】        図１
2008178504.tif 000002
【特許請求の範囲】
【請求項１】
歯科医やアシスタントが使用するテーブルに形成された孔に挿入され水平方向に回転可能に取付けられた回転軸および該回転軸に取付けられたホルダーアームに対して回転可能に取付けられたインスツルメント受けとからなるインスツルメントの後端部を包囲するように支持するホルダー本体と、
該ホルダー本体に着脱自在に取付けられインスツルメントの中間部を前記ホルダー本体と共に支持するアタッチメントと、
より構成したことを特徴とする歯科用インスツルメントホルダー。
【請求項２】
前記テーブルに形成される孔を長孔状に形成し、前記回転軸をテーブルの前後方向にも移動可能としたことを特徴とする請求項１記載の歯科用インスツルメントホルダー。
【請求項３】
前記インスツルメント受けに前記インスツルメントを挿入した時に回動するアクチュエータを取付け、該アクチュエータが回動した時にオンとなるスイッチを取付け、インスツルメントの有無を検出するようにしたことを特徴とする請求項１記載の歯科用インスツルメントホルダー。
【請求項４】
前記ホルダーアームにブレーキシューを設け、該ブレーキシューが前記インスツルメント受けの円弧状の摺接面に摺接させて、インスツルメント受けに対して常時ブレーキを掛けるようにしたことを特徴とする請求項１記載の歯科用インスツルメントホルダー。
【請求項５】
前記アタッチメントは、インスツルメントの中間部を支持する皿状に形成されたトレータイプと、インスツルメントの中間部を包囲するように支持するハンガータイプとからなるアタッチメントであって、前記インスツルメント受けの収納空間部に対して交換可能に形成されていることを特徴とする請求項１記載の歯科用インスツルメントホルダー。
【請求項６】
太く長いインスツルメントと細く短いインスツルメントの後方を受ける内径の異なる２つ以上のスペーサを前記インスツルメント受けの収納空間部に着脱自在に取付けたことを特徴とする請求項１記載の歯科用インスツルメントホルダー。
【請求項７】
前記スペーサおよび前記アタッチメントを耐熱製、耐薬液製の樹脂で構成したことを特徴とする請求項６記載の歯科用インスツルメントホルダー。
【発明の詳細な説明】
【技術分野】
【０００１】
本発明は、歯科用治療器具であるインスツルメントを医師用テーブルやアシスタントテーブルに設けられているホルダーに引出し可能に保持するインスツルメントホルダーであって、該ホルダーの数を使用者によって簡単に増減できるようにした歯科用インスツルメントホルダーに関する。
【背景技術】
【０００２】
従来におけるインスツルメントホルダーとしては、例えば、特開平８−２８９９１０号公報に開示されている発明がある。この発明は、ハンドピースやシリンジ等の歯科用インスツルメントをドクターテーブルやアシスタントテーブルに配置される歯科用インスツルメントホルダーであって、前記インスツルメントを保持するホルダーをインスツルメントを載置した状態で保持するトレータイプと、インスツルメントを差し込むハンガータイプの何れにも容易に変更できるようにしたインスツルメントホルダーの技術が開示されている。
【特許文献１】特開平８−２８９９１０号公報
【発明の開示】
【発明が解決しようとする課題】
【０００３】
本来、インスツルメントホルダーは歯科医の身長、座高、腕の長さなどの体型や診療時の歯科医の位置、治療部位等に応じ、各々のインスツルメントを出し入れし易い形態、向きや角度が異なって配置されていることが望ましいが、前記した従来におけるインスツルメントホルダーにあっては、歯科医等の施術者が使用するインスツルメントを保持するためのインスツルメントホルダーをトレータイプやハンガータイプの何れにも簡単に変更することができるが、ホルダーの角度を全体で水平状態とするか上向きに角度を変化させるだけのものであるため診療時の歯科医の位置、治療部位等によっては使用し難いものであり、また、従来のインスツルメントホルダーは予め何本のインスツルメントを保持可能に構成するかが定められているため（公報には５本のインスツルメントを保持可能なものが開示されている）、施術者が５本以下のインスツルメントを使用する場合には不要なスペースを取ってしまう、あるいは、５本以上のインスツルメントを使用するような場合には、その数に応じた専用ホルダーを製作しなければならないといった問題もあった。
【０００４】
本発明は前記した問題点を解決せんとするもので、その目的とするところは、ドクターテーブルやアシスタントテーブルに対して施術者が希望する本数のインスツルメントを保持できるように構成すると共にインスツルメントホルダーを如何なる方向にも向けることができ、かつ、インスツルメントホルダーを前記テーブルに対して前後方向にも移動することが可能であり、また、インスツルメントホルダーをトレータイプ、ハンガータイプの何れにも簡単に変更ができるようにした歯科用インスツルメントホルダーを提供せんとするにある。
【課題を解決するための手段】
【０００５】
本発明の歯科用インスツルメントホルダーは前記した目的を達成せんとするもので、請求項１の手段は、歯科医やアシスタントが使用するテーブルに形成された孔に挿入され水平方向に回転可能に取付けられた回転軸および該回転軸に取付けられたホルダーアームに対して回転可能に取付けられたインスツルメント受けとからなるインスツルメントの後端部を包囲するように支持するホルダー本体と、該ホルダー本体に着脱自在に取付けられインスツルメントの中間部を前記ホルダー本体と共に支持するアタッチメントとより構成したものである。
【０００６】
請求項２の手段は、前記した請求項１において、前記テーブルに形成される孔を長孔状に形成し、前記回転軸をテーブルの前後方向にも移動可能としたことを特徴とする。
【０００７】
請求項３の手段は、前記した請求項１において、前記インスツルメント受けに前記インスツルメントを挿入した時に回動するアクチュエータを取付け、該アクチュエータが回動した時にオンとなるスイッチを取付け、インスツルメントの有無を検出するようにしたことを特徴とする。
【０００８】
請求項４の手段は、前記した請求項１において、前記ホルダーアームにブレーキシューを設け、該ブレーキシューが前記インスツルメント受けの円弧状の摺接面に摺接させて、インスツルメント受けに対して常時ブレーキを掛けるようにしたことを特徴とする。
【０００９】
請求項５の手段は、前記した請求項１において、前記アタッチメントは、インスツルメントの中間部を支持する皿状に形成されたトレータイプと、インスツルメントの中間部を包囲するように支持するハンガータイプとからなるアタッチメントであって、前記インスツルメント受けの収納空間部に対して交換可能に形成されていることを特徴とする。
【００１０】
請求項６の手段は、前記した請求項１において、太く長いインスツルメントと細く短いインスツルメントの後方を受ける内径の異なる２つ以上のスペーサを前記インスツルメント受けの収納空間部に着脱自在に取付けたことを特徴とする。
【００１１】
請求項７の手段は、前記した請求項１または６において、前記スペーサおよび前記アタッチメントを耐熱製、耐薬液製の樹脂で構成したことを特徴とする。
【発明の効果】
【００１２】
本発明は前記したように、テーブルに対してホルダーのインスツルメント受けを水平方向に回動可能となし、かつ、該インスツルメント受けに対してインスツルメントを支持するアタッチメントを回動自在、かつ、着脱自在に取付けたことにより、インスツルメントを水平方向と上下方向に回動することで歯科医等の使用し易い向きに変更して施術を行うことができ、また、テーブルに対してホルダーを歯科医等の希望に応じた数だけ取付けることが可能である。
【００１３】
また、インスツルメント受けを取付けるテーブルを長孔とすることで、インスツルメント受けを前後方向にも移動することが可能となるので、インスツルメントをより自由な位置に変位できて、より使用勝手が良くなる。
【００１４】
さらに、インスツルメント受け内に、インスツルメントの抜き差しを検出するための手段を設けたことにより、インスツルメントを抜いた時にはインスツルメントに対して電源を供給し、あるいは、給水・給気手段を駆動して施術の作業を迅速に行うことが可能となり、かつ、インスツルメントを挿入することで電源や給水・給気手段が停止して誤動作を防止することができる。
【００１５】
また、上下方向の回動に対してブレーキが掛かっているので、歯科医等が上下方向の回転角を一度設定するとその回動位置において固定され、従って、インスツルメントの抜き差し時に回転角が変わるのを防止できる。
【００１６】
また、インスツルメント受けに交換可能に取付けられるアタッチメントをトレータイプとハンガータイプの交換を容易することで、歯科医等の好みや診療形態に応じてトレータイプとハンガータイプに仕様を変更できる。
【００１７】
さらに、インスツルメント受け内に太く長いインスツルメントと細く短いインスツルメントの後方を受ける内径の異なる２つ以上のスペーサを前記インスツルメント受けの収納空間部に着脱自在に取付けることで、どのような大きさのインスツルメントであっても支持することが可能であり、さらに、スペーサおよび前記アタッチメントを耐熱製、耐薬液製の樹脂で構成したことにより蒸気滅菌や薬液殺菌によって常に衛生状態を維持することが可能であるといった効果を有するものである。
【００１８】
さらに、また、インスツルメント受けに交換可能に取付けられるアタッチメントをトレータイプとハンガータイプの交換を容易することで、歯科医等の好みや診療形態に応じてトレータイプとハンガータイプに仕様を変更できる等の効果を有するものである。
【発明を実施するための最良の形態】
【００１９】
本発明は、インスツルメントを載置するホルダーをテーブルに対して水平方向に回動可能に取付け、かつ、ホルダー自体が上下方向に回動するようにした歯科用インスツルメントホルダーである。
【実施例１】
【００２０】
以下、本発明に係るトレータイプの歯科用インスツルメントホルダーの第１の実施例を図１〜図１１と共に説明する。
１はドクターテーブルやアシスタントが使用するテーブルにして、インスツルメント２を水平状態で保持するホルダー３（以下、トレータイプという）をネジ止めするための凹部に形成された丸孔１１が所望の数分（図面では５個）が形成されている。そして、ホルダー３の一部である回転軸３１１の雄ねじに形成された突起３１１ａがワッシャー４１、スプリングワッシャー４２を介してナット４３によって図３に示すように左右方向には回動可能にネジ止めされている。
【００２１】
前記トレータイプのホルダー３に保持される各種のインスツルメント２よりの電源コード、給気や給水用のチューブ５はテーブル１に開口された孔１２よりテーブル１内に導入され、かつ、電源コードやチューブ５はテーブル１を前後左右に移動可能に支持するアーム（図示せず）内に導入され、電源コンセントや床下の吸気管および給水管に接続されている。なお、図１のテーブル１は上板１３を外した状態を示している。また、図２に示す１４はテーブル１をアームを介して所望の位置に移動させるためのハンドルである。
【００２２】
次に、トレータイプのホルダー３の構造について、エアータービン  マイクロモータ、スケーラー等のインスツルメント２の全長が長く、かつ、太い場合を示している。
ホルダー３はテーブル１に対して回動自在に軸支されるホルダー本体３１と、該ホルダー本体３１に対して着脱自在に取付けられるアタッチメント３２とより構成されている。
【００２３】
ホルダー本体３１の構造について説明するに、前記テーブル１の丸孔を有する円形状凹部１１に挿入可能な大きさに形成され外周面に雄ねじが形成された突起部３１１ａを有する回転軸３１１と、該回転軸３１１の裏面側に形成された取付部３１１ｂにネジ止めされる取付部３１２ａを有する一対のホルダーアーム３１２と、該ホルダーアーム３１２の取付部３１２ａに一体的に形成された腕部３１２ｂの先端に形成された軸受け部３１２ｃが回転自在に軸支されるインスツルメント受け３１３と、該インスツルメント受け３１３の側面と前記回転軸３１１の円盤部３１１ｃの外周面を覆う一対のサイドカバー３１４と、前記インスツルメント受け３１３の収納空間部３１３ｉ内に収納するスペーサ３３とから構成されている。
【００２４】
前記したホルダーアーム３１２の腕部３１２ｂには、ブレーキシュー３１２ｄおよび押え部材３１２ｅを挿入するための孔３１２ｆが形成され、ブレーキシュー３１２ｄの先端が腕部３１２ｂの下面より僅かに突出するように孔３１２ｆ内に挿入されている。
【００２５】
また、前記したインスツルメント受け３１３は全体が円柱状に形成されており、両側面には前記したホルダーアーム３１２の軸受け部３１２ｃに軸受けされる軸３１３ａが形成されると共に該軸３１２ａの外周には前記サイドカバー３１４の溝部３１４ａに嵌合される鍔部３１３ｂが形成れている。また、円柱状のインスツルメント受け３１３の円周面には切欠部３１３ｃが形成され、該切欠部３１３ｃにはピン３１３ｄによって軸支されたアクチュエータ３１３ｅが収納されると共に該アクチュエータ３１３ｅの突起３１３ｅ１によってオン・オフするスイッチ３１３ｆ１が取付けられたセンシング基板３１３ｆが取付けられている。
【００２６】
なお、アクチュエータ３１３ｅにはインスツルメント２のコードやチューブが取付けられている後端部２１によって反時計方向に回動するための凹孔３１３ｅ２が形成されている。また、前記切欠部３１３ｃの外周部には前記ブレーキシュー３１２ｄが摺接する摺接面３１３ｈが形成され、この摺接面３１３ｈにブレーキシュー３１２ｄが摺接することでインスツルメント受け３１３の回転にブレーキを掛けている。また、前記アクチュエータ３１３ｅには図７において時計方向にバネ付勢するための巻きバネ３１３ｅ３が取付けられている。
【００２７】
さらに、インスツルメント受け３１３の前記切欠部３１３ｃとは反対側にはスペーサ３３が挿入される。このスペーサ３３は蒸気滅菌が可能な高温に耐え得る耐熱性や薬液消毒に耐え得る耐薬品製の樹脂の樹脂で形成されており、図４、図５に示すように大径部３３１と小径部３３２としら形成された円筒体であって、長手方向に沿って切欠部３３３が形成されている。そして、切欠部３３３が下向きとなるように小径部３３２側から収納空間部３１３ｉ内に抜き差し可能に挿入される。このスペーサ３３は肉厚が薄く形成され、外径が大きく長さの長いエアーターピン、マイクロモータ、スケーラー等のインスツルメント２の後端部が挿入可能なように肉厚が薄く形成されている。
【００２８】
また、インスツルメント２の後端部２１が入り込む円筒状の収納空間部３１３ｉの入口部には、係合孔３１３ｊ１を有する円弧状の鍔部３１３ｊが形成され、かつ、円弧状の鍔部３１３ｊの両端には後述するサイドローラ軸３２４が嵌合される嵌合孔３１３ｊ２が形成されている。
【００２９】
そして、インスツルメント受け３１３の切欠部３１３ｃにセンシング基板３１３ｆとアクチュエータ３１３ｅを取付け、また、回転軸３１１に左右のホルダーアーム３１２をネジ止めした状態において軸受け部３１２ｃを軸３１３ａに軸支しながら回転軸３１１を切欠部３１３ｃ内に嵌め込む。次いで、左右のサイドカバー３１４の溝３１４の溝３１４ａにインスツルメント受け３１３の鍔部３１３ｂを嵌め込む。
【００３０】
次に、アタッチメント３２の構造について説明するに、上下面が開口された楕円形状の受皿状に形成された蒸気滅菌が可能な高温に耐え得る耐熱性や薬液消毒に耐え得る耐薬品製の樹脂のアタッチメント本体３２１と、該アタッチメント本体３２１の下面側先端に形成された一対の第１軸受け３２１ａに軸支される前ローラ軸３２２と、該前ローラ軸３２２に回転自在に軸支された前ローラ３２３と、アタッチメント本体３２１の後端に形成された第２軸受け３２１ｂと前記第１軸受け３２１ａとによって軸支されるサイドローラ軸３２４と、該サイドローラ軸３２４に回転自在に軸支されたサイドローラ３２５とより構成されている。また、サイドローラ軸３２４の後端には前記インスツルメント受け３１３の前記嵌合孔３１３ｊ２にガタなく嵌合可能なようにゴム部材３２４ａが取付けられている。
【００３１】
そして、アタッチメント本体３２１はインスツルメント受け３１３に対して、アタッチメント本体３２１に形成されている係合突起３２１ｃをインスツルメント受け３１３の嵌合孔３１３ｊ２に係合すると共にサイドローラ軸３２４のゴム部材３２４ａをインスツルメント受け３１３の嵌合孔３１３ｊ２に弾性的に嵌合されて一体化される。
【００３２】
このように構成されたホルダー３は、テーブル１に対して回転軸３１１の部分で左右方向に回転可能であり、また、回転軸３１１に対してインスツルメント受け３１３が回転自在であることから上下方向に対しても回転可能であることから、アタッチメント３２に載置され、かつ、インスツルメント受け３１３内に挿入されたインスツルメント２は左右および上下方向に変位可能となって、歯科医やアシスタントの施術に適した向きにインスツルメント２を向けることが可能となるものである。なお、インスツルメント受け３１３の摺接面３１３ｈに対してホルダーアーム３１２に取付けられているブレーキシュー３１２ｄが接触していることから（図６〜図８参照）、インスツルメント受け３１３をホルダーアーム３１２の軸受け部３１２ｃに対して回転してもブレーキシュー３１２ｄによる摩擦抵抗によって回転を停止した位置で保持される。
【００３３】
また、インスツルメント２がホルダー３にセットされている状態にあっては、アクチュエータ３１３ｅに取付けられている巻きバネ３１３ｅ３のバネ力に抗して回転されるので（図８参照）、アクチュエータ３１３ｅの突起３１３ｅ１がセンシング基板３１３ｆのスイッチ３１３ｆ１を押すので、該スイッチ３１３ｆ１がオフ状態となっているが（図８参照）、インスツルメント２をホルダー３から引き出すとアクチュエータ３１３ｅが巻きバネ３１３ｅ３のバネ力によって初期位置に戻り（図７参照）、これにより、スイッチ３１３ｆ１がオン状態となってインスツルメント２が駆動状態となるものである。
【００３４】
さらに、スペーサ３３およびアタッチメント３２はホルダー３１に対して抜き差し可能に取付けられているので、スペーサ３３およびアタッチメント３２が汚れたような場合や一定期間が経過したような場合にはホルダー３１から取り外して、蒸気滅菌や薬液消毒等によって清潔な状態に維持することが可能となる。なお、アタッチメント３２はローラ３２２，３２４を取り外した状態で行うことが望ましい。
【００３５】
なお、前記した実施例は、インスツルメント２が太く長いホルダー３（通常の大きさ）の場合であるが、長さが短く、径が細いインスツルメント２′の場合には、インスツルメント２′の先端部分がアタッチメント３２の先端より出る量が少なくなってホルダー３から出し入れし難くなる。また、インスツルメント２′とインスツルメント受け３１３の収納空間３１３ｉの間に大きな隙間ができてしまい、テーブル１を動かした場合などにガタつき、滑落の危険性がある。
【００３６】
そこで、図９、図１０に示すように、全長が短く、径が細いインスツルメント２′用の肉厚が厚いスペーサ３３′に交換することで、インスツルメント２′の先端を前方に突出させ、これにより短く、細いインスツルメント２′であっても引き出し易く、安定して保持可能にできるようにした。なお、短く細いインスツルメント２′用のスペーサ３３′は前記した太く長いインスツルメント用のスペーサ３３と形状は同じで厚みが厚いだけなので、スペーサ３３′の形状の詳細は省略する。
【００３７】
また、インスツルメント２の場合はインスツルメント２の後端が直接アクチュエータ３１３ｅに接触し先進具基板３１３ｆの入り切りを行っていたのに対し、インスツルメント２′の場合は、底部がアクチュエータ３１３ｅに届かないため、インスツルメント２′の出し入れによりスペーサ３３がインスツルメント受け３１３の収納空間部３１３ｉを長手方向に摺動することによりスペーサ３３′の後端がアクチュエータ３１３ｅに接触し、センシング基板３１３ｆのスイッチ３１３ｆ１の入り切りを行うようにすることが望ましい。
【００３８】
また、前記した実施例にあっては、回転軸３１３の突起部３１３ａがテーブル１の丸孔１１内に挿入されネジ止めているので、回転軸３１３は回転のみするように構成されているが、図１１に示すようにナット等を挿入する凹部を長孔状に形成すると共に孔も長孔１１′とすることで、ホルダー３はテーブル１に対して前後方向にスライド可能となので、常時使用するようなインスツルメント２は取り出し易いようにホルダー３を前方に移動することで、出し入れの際、隣のインスツルメントに手が当たる危険が回避できるなど、より使い勝手が良くなるものである。
【００３９】
前記した実施例はトレータイプのインスツルメントホルダーの場合について説明したが、ハンガータイプのインスツルメントホルダーの場合について図１２〜図１４と共に説明する。なお、前記した実施例と同一符号は同一部材を示し説明は省略する。
【００４０】
このハンガータイプのインスツルメントホルダーにあっては、前記した実施例におけるホルダー３のホルダー本体３１は同じ構造であって、アタッチメント３２の部分を変えるのみでハンガータイプに変更可能となるものである。
【００４１】
すなわち、ハンガータイプのアタッチメント３４はホルダー本体３１側に接続する部分の開口が先端側より小径に形成された円錐形状となっており、かつ、下面側に切欠部３４１が形成されている。前記小径側に前記切欠部３４１が形成されている部分には前記したインスツルメント受け３１３の係合孔３１３ｊ１に弾性的に係合されるゴム部材で形成された嵌合突起３４２が形成されている。
【００４２】
このように構成したアタッチメント３４の嵌合突起３４２をインスツルメント受け３１３の係合孔３１３ｊ１に係合することで、ハンガータイプのインスツルメントホルダーとなるので、トレータイプのインスツルメントホルダーを好まない歯科医等にあってはアタッチメント３２をアタッチメント３４に交換するのみでハンガータイプのインスツルメントホルダーとして使用することが可能となるものである。また、この実施例にあっても、アタッチメント３４をインスツルメント受け３１３から簡単に取り外すことができるので、蒸気滅菌・薬液消毒等が簡単に行うことができる。
【図面の簡単な説明】
【００４３】
【図１】本発明に係る歯科用インスツルメントホルダーにおけるトレータイプの一実施例を示す斜視図である。
【図２】同上のインスツルメントを挿入した状態の側面図である。
【図３】図２の平面図である。
【図４】ホルダーのインスツルメント受けとアタッチメントとを分離した状態の斜視図である。
【図５】ホルダー全体の分解斜視図である。
【図６】ホルダーのブレーキシュー部分を断面した断面図である。
【図７】ホルダーのアクチュエータ部分を断面した断面図である。
【図８】同上のインスツルメントを挿入した状態の断面図である。
【図９】他の実施例におけるスペーサを追加した状態の分解斜視図である。
【図１０】同上の短いインスツルメントを挿入した状態の断面図である。
【図１１】他の実施例におけるテーブルの斜視図である。
【図１２】ハンガータイプのホルダーの側面図である。
【図１３】同上の正面図である。
【図１４】図１３のハンガータイプのアタッチメントを分離した状態の斜視図である。
【符号の説明】
【００４４】
１          テーブル
１１        丸孔
１１′      長孔
２          インスツルメント
３          ホルダー
３１        ホルダー本体
３１１      回転軸
３１２      ホルダーアーム
３１２ｄ    ブレーキシュー
３１３      インスツルメント受け
３１３ｅ    アクチュエータ
３１３ｆ    センシング基板
３１３ｆ１  スイッチ
３１４      サイドカバー
３２        トレータイプのアタッチメント
３３，３３′スペーサ
３４        ハンガータイプのアタッチメント
【図１】
2008178504.tif 000003
【図２】
2008178504.tif 000004
【図３】
2008178504.tif 000005
【図４】
2008178504.tif 000006
【図５】
2008178504.tif 000007
【図６】
2008178504.tif 000008
【図７】
2008178504.tif 000009
【図８】
2008178504.tif 000010
【図９】
2008178504.tif 000011
【図１０】
2008178504.tif 000012
【図１１】
2008178504.tif 000013
【図１２】
2008178504.tif 000014
【図１３】
2008178504.tif 000015
【図１４】
2008178504.tif 000016